(57)【要約】【課題】別のテーブルにある患者をイメージング・システムに転送する。【解決手段】患者テーブル（１０）は、患者（１２）を搬送するボード（１４）を摺動自在に受け容れるためのクレードル（１６）と、クレードル（１６）を摺動自在に受け容れるためのクレードル支持部材（２８２）と、ボード（１４）が摺動によりクレードル（１６）から外れるのを防止するためのロッカー（８６、８８）と、クレードル（１６）が摺動によりクレードル支持部材（２８２）から外れるのを防止するためのストッパ（１１０、１１２）と、を含む。【選択図】図１
2006314793.tif 000002
【特許請求の範囲】
【請求項１】
患者テーブル（１０）であって、
患者（１２）を搬送するボード（１４）を直線的に受け容れかつ転送するためのクレードル（１６）と、
前記クレードル（１６）の内部にあって、前記ボード（１４）及び患者（１２）を該テーブル（１０）上に位置決めすると共に該ボード（１４）が摺動により該クレードル（１６）から外れるのを防止するためのロッカー（８６、８８）と、
前記クレードル（１６）の内部にあって該クレードル（１６）が摺動によりクレードル支持部材（２８２）から外れるのを防止するためのストッパ（１１０、１１２）と、
を備える患者テーブル（１０）。
【請求項２】
前記ロッカー（８６、８８）は、ロッカー手動リリース機構（９６）を含んだ第１のロッカー（８６）と、該患者テーブル（１０）を第２のテーブル（４００）をドッキングさせたときに前記ボード（１４）を前記クレードル（１６）から自動的に係合解除する第２のロッカー（８８）と、を含む、請求項１に記載の患者テーブル（１０）。
【請求項３】
前記クレードル（１６）を摺動自在に受け容れるためのクレードル支持部材（２８２）をさらに備えると共に、前記ストッパ（１１０、１１２）は、該患者テーブル（１０）が該クレードル（１６）を受け容れるためにシステム（５００）と境を接しているときに該クレードル支持部材（２８２）から係合解除する第１のストッパ（１１０）と、前記ボード（１４）が該クレードル（１６）上に完全に支持されたときに該クレードル支持部材（２８２）から係合解除する第２のストッパ（１１２）と、を含む、請求項１に記載の患者テーブル（１０）。
【請求項４】
撮像過程中に使用するためのコイル（３４）と、該コイル（３４）から延び出ているコイル・ケーブル（４２、４４）と、該コイル・ケーブル（４２、４４）を受け容れるために該患者テーブル（１０）に取り付けられた中間ボックス（４６）と、イメージング・システム（５００）との取り付けのために該中間ボックス（４６）から延び出ているシステム・ケーブル（５０）と、をさらに備える請求項１に記載の患者テーブル（１０）。
【請求項５】
前記コイル（３４）は前記ボードに取り付けるための解剖学的クランプ（３２）の内部に位置決めされている、請求項４に記載の患者テーブル（１０）。
【請求項６】
前記コイル（３４）は、上側可撓性コイル（３６）と、前側可撓性コイル（３８）と、該上側可撓性コイル（３６）から延び出ている上側可撓性コイル・ケーブル（４２）と、該前側可撓性コイル（３８）から延び出ている前側可撓性コイル・ケーブル（４４）と、を含んでおり、前記中間ボックス（４６）は該上側可撓性コイル・ケーブル（４２）と該前側可撓性コイル・ケーブル（４４）の両者を受け容れている、請求項４に記載の患者テーブル（１０）。
【請求項７】
該患者テーブル（１０）の第１の端部（１８）を第２のテーブル（４００）に取り付けるために該患者テーブル（１０）の第１の端部（１８）に取り付けられたドッキング・アセンブリ（２８４）をさらに備える請求項１に記載の患者テーブル（１０）。
【請求項８】
前記ドッキング・アセンブリ（２８４）は、前記第２のテーブル（４００）からの突出部（４０２）を受け容れるためのチャンネル（２９４）と、該突出部（４０２）を該第２のテーブル（４００）からロックするための突出部ロッキング・デバイス（２９６）と、を含む、請求項７に記載の患者テーブル（１０）。
【請求項９】
前記ボード（１４）を前記クレードル（１６）上に来るようにまた該クレードル（１６）から外れるように転動させるために該クレードル（１６）の第１及び第２のサイド（７４、７６）に沿って位置決めされた複数のボード受け容れローラー（７２）をさらに備える請求項１に記載の患者テーブル（１０）。
【請求項１０】
前記クレードル（１６）はＸ線／ＭＲ適合性の繊維複合材から形成されている、請求項１に記載の患者テーブル（１０）。
【発明の詳細な説明】
【技術分野】
【０００１】
本出願は患者テーブルに関する。さらに詳細には、本出願は第２のテーブルにある患者をイメージング・システムに転送するための患者テーブルに関する。
【背景技術】
【０００２】
現在、患者や物体は広範な異なる撮像テクノロジーを用いて撮像することができる。こうした撮像テクノロジーは、ＭＲＩ、コンピュータ断層撮影（「ＣＴ」）、Ｘ線イメージング、その他を含むことが可能である。撮像テクノロジーのそれぞれは、ある種の生理学的特性や物理的特性の画像化に関して固有の長所と短所を有する。ＭＲＩ画像は例えば、電離放射線に対する被曝を伴うことなく優秀な軟部組織コントラストを提供することができる。ＭＲＩ画像はまた、３次元画像収集を提供することができる。
【０００３】
ＭＲＩは電離放射線に依存しない診断撮像様式である。その一方で、ＭＲＩは（理想的には）強力な静磁場、ＲＦエネルギー・パルス及び磁場傾斜波形を利用する。ＲＦパルスはＲＦコイルによって発生させる。ＭＲＩは核の磁化及びラジオ波を使用して対象の内部画像を作成する非侵襲的手技である。検査対象のある部位の「スライス」のそれぞれごとに３次元診断画像データが収集される。これらのスライス・データは、典型的には、その有する分解能が１ミリメートルまたはこれより良好であるような微細構造を提供する。ＭＲＩシステムでは、強力な均一磁場発生装置だけではなく、ＭＲＩシステムを操作するために付属の電子機器群も必要となる。
【特許文献１】米国特許第５４７５８８４号
【発明の開示】
【発明が解決しようとする課題】
【０００４】
外科手術室（「ＯＲ」）の状況では、外科処置中における手術室からＭＲＩスキャナへの患者転送は、患者に対して過度のリスクを伴いながらＯＲテーブルから患者を物理的に持ち上げる場合にのみ可能であった。こうした手技は、患者に対して過度の解剖学的動きや混乱を生じさせる可能性がある。
【課題を解決するための手段】
【０００５】
本発明の例示的な実施形態は、患者テーブルであって、患者を搬送するボードを直線的に受け容れかつ転送するためのクレードルと、該クレードルを摺動自在に受け容れるためのクレードル支持部材と、該クレードルの内部にあってボード及び患者を該テーブル上に位置決めすると共に該ボードが摺動により該クレードルから外れるのを防止するためのロッカーと、該クレードルの内部にあって該クレードルが摺動によりクレードル支持部材から外れるのを防止するためのストッパと、を含んだ患者テーブルを含む。
【０００６】
本発明の別の例示的実施形態は、患者をイメージング・システムに転送する方法であって、患者テーブルの第１の端部を第２のテーブルとドッキングさせる工程と、該患者テーブルのクレードルの上で該第２のテーブルから患者搬送ボードを摺動させ該クレードルが定位置に来たときにクレードル上に該ボードを自動的にロックする工程と、患者テーブルの第２の端部を移動してイメージング・システムと係合させ、患者テーブルの第２の端部がイメージング・システムと係合したときに該クレードルを患者テーブルのクレードル支持部材からロック解除する工程と、該クレードル及びボードをイメージング・システム内に移動させる工程と、を含んだ方法を含む。
【０００７】
本発明のまた別の例示的実施形態は、イメージング・システムと、該イメージング・システムとその第２の端部が係合可能なクレードル支持部材を含んだ患者テーブルと、該クレードル支持部材上及び該イメージング・システムの内部に摺動自在に受け容れられており該患者テーブルの第２の端部を該イメージング・システムと係合させたときに該患者テーブルと該イメージング・システムの間を移動可能であるクレードルと、該患者テーブルの第１の端部とその端部が係合可能な第２のテーブルと、該第２のテーブルを該患者テーブルの第１の端部と係合させたときに該第２のテーブルと該クレードルの間で摺動可能な患者搬送ボードと、を含む患者撮像／転送システムであって、患者を該ボードから降ろさずに該第２のテーブルから該イメージング・システムまで患者を転送可能である患者撮像／転送システムを含む。
【０００８】
本発明のさらに別の例示的実施形態は、コイルと、該コイルから延び出ているコイル・ケーブルと、患者搬送ボードに取り付け可能な該コイル・ケーブルを受け容れるための中間ボックスと、該中間ボックスから延び出ているイメージング・システムに接続可能なシステム・ケーブルと、を含んだＲＦコイルシステムを含み、該ＲＦコイルシステムは患者搬送ボードを基準として位置決めされると共に患者搬送ボードと一緒にイメージング・システムに向かう方向及びイメージング・システムから離れる方向に移動可能であり、かつ該ＲＦコイルシステムはシステム・ケーブルとイメージング・システムとの間の単一接続を使用してイメージング・システムと接続可能である。
【０００９】
本発明に関する上述の目的、特徴及び利点、並びに別の目的、特徴及び利点は、同じ要素を同じ参照番号によって示した添付の図面と組み合わせて以下の説明を読むことによって明らかとなろう。
【発明を実施するための最良の形態】
【００１０】
ここで、幾つかの図において同じ要素に同じ番号を付けた図面を参照することにする。
【００１１】
本明細書に記載したシステム、方法及びデバイスの例示的な実施形態は、滑らかかつ安全な患者転送を可能にすると共にＲＦコイルを利用した撮像機能を提供する。
【００１２】
本明細書に記載したシステム及びデバイスは複数の様式を組み合わせた統合体を含んでおり、Ｍａｑｕｅｔ  Ｃｏｍｐａｎｙが提供するＶａｓｃｕｌａｒ  Ｉｎｔｅｒｖｅｎｔｉｏｎａｌ  Ｗｏｒｋｐｌａｃｅ  ｆｏｒ  Ａｄｖａｎｃｅｄ  Ｓｕｒｇｅｒｙ（「ＶＩＷＡＳ」）という名の著名なＯＲ外科用テーブル・デバイスを第２のテーブルとして利用することができる（これについては以下でさらに記載することにする）。本明細書に記載したすべての装置をつなぐ共通の接点は、患者の位置決め／横臥のための繊維複合材転送ボードなどの外科用作業面である。この転送ボードは患者を載せると、ＯＲ状況の外科処置で使用することができる。次いでトラック・システムを使用することにより、ＯＲやＭＲスキャナなどのイメージング・システムに対して出入するように患者を移動させることができる。プラットフォームとしてのこの転送ボードをこれら両デバイス間の仲介物として利用するにあたり、本明細書に記載した実施形態は、固有のテーブル・クレードル上に転送ボードを受け容れる外科用患者テーブルを含んでおり、この患者テーブルはＧｅｎｅｒａｌ  Ｅｌｅｃｔｒｉｃから入手可能なＧＥ  Ｓｉｇｎａスキャナ（ただし、これに限らない）などのイメージング・システムとドッキングさせる。この外科用患者テーブルは、ＭａｑｕｅｔのＶＩＷＡＳ、さらには（Ｔｒａｎｓｍｏｂｉｌｅという名称の）Ｍａｑｕｅｔの患者トランスポータ（ただし、これらに限らない）などの第２のテーブルに対して接続／仲介するように構成されている。安全で滑らかな患者転送を可能にするためにこのクレードルの内部には安全インタロックが含まれている（これについては後でさらに記載することにする）。
【００１３】
本明細書に記載した実施形態の一部として、外科処置においてＲＦコイルなどのコイルの利用を容易にさせるような撮像方法を提供する。このＲＦコイルの実現によれば、頭蓋クランプなどの解剖学的クランプと患者の頭部などの解剖構造との間における信号対雑音比（「ＳＮＲ」）を最大化させるようなコイルの位置決め、並びにユーザに対するコイルの簡単な位置決めが可能となる。図示した実施形態ではこのコイルを患者の頭部に対して利用可能なコイルとして表すことにするが、別の実現形態も本方法の趣旨の域内にある。ＳＮＲは、有用な信号の大きさの無用なノイズの大きさに対する比であって、単純な算術比として、あるいはデシベル単位で表現される。このコイル・インタフェース構成によって、その用途や手技に対する最大の柔軟性を得るための中間接続箇所にコイルを接続することが可能となる。この実現形態は、患者の左側でも右側でも転送ボードに接続することが可能であり、かつこのコイルによって、後側コイルや前側コイルの利用、あるいはこれらを接続させた使用が可能となる。この機能によって、当該の手技に対応するユーザ／用途の最大の柔軟性を得ることができる。
【００１４】
ここで図１を見ると、テーブル・システム１０の例示的な一実施形態の全体像を表している。患者１２は転送ボード１４上に横臥させる。転送ボード１４は、クレードル１６の上に重なりかつこれと係合するように表している。転送ボード１４とクレードル１６は、ＭＲＩシステムのＭＲＩボアなどイメージング・システムの内部を移動できるように相互接続されている。テーブル１０は、転送ボード１４及びクレードル１６の第１の端部１８及び第２の端部２０に対応した第１の端部１８及び第２の端部２０を含む。転送ボード１４は、全体として第２の端部２０から第１の端部１８まで延びたサイド部分４０を含む。患者１２はサイド部分４０同士の間に横臥する。患者の頭部は第２の端部２０に隣接して置かれる一方、患者の足部は第１の端部１８の方に近づけて位置決めされる（ただし、これと反対の構成とすることもこのテーブルの趣旨の域内にある）。転送ボード１４の第１の端部１８にはモニタ・プレート２２を取り付けることができる。モニタ・プレート２２は患者の生命徴候（例えば、ＥＣＧ（ただし、これに限らない））を表示するためのモニタ（図示せず）を保持することができる。このモニタはまた、ユーザが必要と見なす別の任意の実現形態のために使用することができる。図示した実施形態では、モニタ・プレート２２は、転送ボード１４に取り付けるための装着プレート２４と、モニタ保持部分２８に向かって延びる１対のアーム２６と、を含む。さらに、モニタ保持部分２８上には、患者テーブル１０全体を移動させるため、あるいはモニタ・プレート２２の位置決めを調整するためにハンドル３０が設けられることがある。
【００１５】
転送ボード１４の第２の端部２０は、患者の頭部をその内部に保持するためのクランプ３２を備えるように表している。図示した実施形態では、ＲＦコイル３４はクランプ３２と患者の頭部との間に位置決めされる。患者に対してこのコイル３４は、実施する手技の規定に従ってまた臨床医の決定に従って多様な向き及び位置で位置決めすることができる。このコイルは、Ｖｅｌｃｒｏストリップ、テープ（ただし、これらに限らない）などの方法やコイルを適所に確保するための別の方法を使用することによって頭蓋クランプ及び／または患者に対して固定されることがある。ＲＦコイル３４は、上側可撓性コイル３６か前側可撓性コイル３８のいずれか一方、あるいはこの両方を含む。ＲＦコイル３４の例示的な一配置を表しているが、コイル３４は患者の解剖構造の様々な部位に対しても利用できること、またしたがって代替的設計のコイルセクションを含み得ることを理解すべきである。上側可撓性コイル・ケーブル４２は上側可撓性コイル３６から延び出ており、また前側可撓性コイル・ケーブル４４は前側可撓性コイル３８から延び出ている。ケーブル４２及び４４は、コイル３６及び３８を適正に機能させるのに必要な電気接続及び信号接続をすべて含んでいる。ケーブル４２及び４４は中間ボックス４６に向かって延びて中間ボックス４６に繋がっている。ケーブル４２及び４４は、特定のコイル３６または３８をテーブル１０から外せるようにするため、中間ボックス４６から着脱可能とすることがある。この中間ボックスは、所望に従ってもっと多くのあるいはもっと少ない数のコイル・ケーブルに接続するような大きさとすることができる。中間ボックス４６は、中間ボックス延長アーム４８を介して転送ボード１４のサイド部分４０に取り付けられる。中間ボックス４６からはシステム・ケーブル５０が延び出ている。システム・ケーブル５０は図２５に示すようにＭＲシステムのコイル・インタフェース５０２と接続可能である。システム・ケーブル５０によって、テーブル１０に「ｐｌｕｇ＆ｇｏ」のＭＲＩ即応性接続を備えさせ、ＭＲＩシステム５００と係合するようにテーブル１０を押し入れるときにＭＲＩシステムのコイルへの接続を要するケーブル接続を１本（ケーブル５０）だけとすることができる。
【００１６】
図２は、患者１２が存在しないことを除けば図１と同じ患者テーブルを表している。ナビゲーション・アーム５２は、外科処置で使用するために外科用ナビゲーション／トラック・デバイス（例えば、ＤＲＦ（光学式）、ＥＭ送信器その他（ただし、これらに限らない））を頭蓋クランプ３２に対して取り付けることを可能とさせている。患者接地ストリップ５４は転送ボード１４の一部であり、外科用テーブルに関する適用対象の規制要件による指定に従って患者１２を外科用テーブル１０に対して接地させるために使用される。
【００１７】
図３及び４は、転送ボード１４を単独で表している。患者接地ストリップ５４は転送ボード１４の両端部１８、２０の近くに配置されている。転送ボード１４上の端部１８、２０の近くにモニタ・プレート２２とクランプ３２及びＲＦコイル３４とをそれぞれ取り付ける先にあたる取り付けエリア５６が設けられている。この取り付けエリア５６に対するモニタ・プレート２２とクランプ３２及びＲＦコイル３４との取り付けは、外科手技や撮像手技と干渉しない周知の任意の取り付けデバイスによって実現できることを理解すべきである。図４にさらに明瞭に表したように、転送ボード１４は患者をその上に受け容れるための上側表面５８と、クレードル１６上に載せるための底側表面６０と、を含む。転送ボード１４がテーブル１０のクレードル１６上に移動してくると、サイド部分４０に隣接すると共に第１の端部１８から第２の端部２０までから延びるように設けられたローラー受け容れ部分６２が、クレードル１６上に設けられたローラー７２（図６）に沿って摺動する。図示した実施形態では、ローラー受け容れ部分６２は、底側表面６０から上側表面５８まで延びた全体的にＣ字形をした湾曲壁を含んでいる、ただしローラー受け容れ部分６２はローラー７２に沿って摺動するようにした代替的設計を有することもある。
【００１８】
図５〜９を見ると、転送ボード１４がその上に位置決めされていないクレードル１６を表している。クレードル１６は、転送ボード１４を受け容れるための上側表面６８と、ＭＲＩボアなどイメージング・システム５００（図２５）の内部に移動させるためあるいは患者テーブル１０のクレードル支持部材２８２（図２１）上に着座させるための底側表面７０と、を含む。上側表面６８は幾つかの機械的要素を隠蔽するカバー６６を含んでおり、これについてさらに以下に記載することにする。カバー６６は単独のカバーを含むことや、一緒になってカバー６６を形成するような２つ以上の分割片を含むことがある。図示した実施形態では、カバー６６は３つの分割片を含む。第１のカバー分割片６５はクレードル１６の第１の端部１８に隣接した区画を覆っており、第２のカバー分割片６７はクレードル１６の中央の区画を覆っており、また第３のカバー分割片６９はクレードル１６のカバー６６内部の第３の開口９０に関連する区画を覆っている（これについては以下でさらに記載することにする）。カバーに関する別の機構もこれらの実施形態の趣旨の域内にある。カバー６６は、クレードル１６の任意の内部構成要素に対する試験、修復、交換、あるいは修理のためにクレードル１６から取外し可能とさせることがある。分離式のカバー分割片を使用することによって、カバー分割片６５、６７及び６９などの個々の分割片を必要に応じて個々に取り外すことができる。クレードル１６の第１の端部１８はクレードル緊急リリース・ハンドル６４を含む。クレードル１６、転送ボード１４及び患者１２がＭＲＩボアなどのイメージング・システム５００の内部に位置決めされているときの緊急事態の際には、クレードル緊急リリース・ハンドル６４を手動で引き、イメージング・システム５００のモータ式システムによってクレードル１６及び転送ボード１４を転がしてイメージング・システム５００から出す場合と比べてより迅速にクレードル１６、転送ボード１４及び患者１２を動かしてイメージング・システム５００から出すことができる。クレードル１６及び転送ボード１４は、クレードル１６の底側表面７０上に位置決めされたキャスター８０を介してイメージング・システム５００に出入するように移動可能である。
【００１９】
クレードル１６はさらに、第１の端部１８を第２の端部２０に接続している第１のサイド７４及び第２のサイド７６を含む。クレードル１６の各サイド７４、７６上には転送ボード１４をクレードル１６の上側表面６８上まで受け容れるために、転送ボード受け容れローラー７２からなる１つのラインが設けられている。転送ボード１４をクレードル１６上に来るように移動させる際に、ローラー受け容れ部分６２はローラー７２を囲繞すると共に、ローラー７２に沿って摺動する。このローラー７２のラインは、クレードル１６の端部２０に到達する手前で各サイド７４、７６上の点７８で終わっている。転送ボード１４が完全にクレードル１６上の適所に来ると、点７８はクランプ３２及びコイル３４が転送ボード１４に取り付けられている箇所に対応する。
【００２０】
クレードル１６のカバー６６は、クレードル１６内部の第１のロッカー８６（左手側のロッカー）及び第２のロッカー８８（右手側のロッカー）が移動して転送ボード１４との係合や係合解除ができるように、第１の端部１８に隣接して第１及び第２の開口８２、８４を含む。第１のロッカー８６及び第２のロッカー８８は転送ボード１４と係合し、これらのロッカーが開放されるまで転送ボード１４をクレードル１６上の適所に保持する。
【００２１】
カバー６６はさらに、フリッパ９２を隠している第３の開口９０と、第１のロッカー手動リリース・ハンドル９６をその内部に通過させることを可能にしている第４の開口９４と、を含む（これら両者については以下でさらに記載することにする）。クレードル１６はさらに、イメージング・システム５００からのフック（または、別の掴持用突出部）がクレードル１６を掴持すると共にクレードル１６をイメージング・システム５００内に移動させるかイメージング・システム５００内でクレードルを確保することを可能にさせるためのフック受け容れ窪み９８を含む。クレードル緊急リリース・ハンドル６４を引っ張ることによって、イメージング・システム５００のフックがクレードル１６のフック受け容れ窪み９８から係合解除され、これによってクレードル１６を（またしたがって、転送ボード１４及び患者１２を）イメージング・システム５００から外すことができる（これについても以下でさらに記載することにする）。
【００２２】
図９及び１０は、カバー６６並びにそのカバー分割片６５、６７及び６９のすべてを取り外しクレードル１６内部の構成要素が見えた状態としてクレードル１６を示している。ローラー・ハウジング１００同士は第１の端部１８から第２の端部２０までの間で互いに離間されていると共に、その内部にキャスター８０を受け容れている。支持ビーム１０２同士も第１の端部１８から第２の端部２０までの間で互いに離間されている。支持ビーム１０２は第１のサイド７４を第２のサイド７６に接続しており、これによってクレードル１６に構造的支持が提供される。支持ビーム１０２は、必要の際に機械的構成要素が通過できるようにするための開口１０４及び溝１０６を含む。
【００２３】
クレードル１６内部にありカバー６６を外した状態で現れる（以下でさらに記載することにする）別の構成要素には緊急リリース機構１０８があり、この緊急リリース機構１０８は、クレードル緊急リリース・ハンドル６４に付属しておりイメージング・システム５００のフックやその他の掴持用要素を押してフック受け容れ窪み９８から出すための移動可能引っ張り部分１１８を含んでいる。さらにまた、第１のストッパ１１０（左手側のストッパ）と第２のストッパ１１２（右手側のストッパ）も現れる。ストッパ１１０とストッパ１１２の両方が開放されると、クレードル１６を移動してイメージング・システム５００に入れたりイメージング・システム５００から出すことが可能となる。低背型キャリッジ・アセンブリが最外側位置にあってそのフックが受け容れ窪み９８と係合しているときにこの低背型キャリッジ・アセンブリによりブロック移動用ロッド２２８の第１の端部２３０が押された場合にストッパ１１０が開放される（これについては以下でさらに記載することにする）。部品１１４は転送ボード１４に対するポジティブ・ストップの役割を果たす。すなわち、転送ボード１４がクレードル１６上を転動する際に、転送ボード１４の前面の一部分が部品１１４と出合い、これを越えてさらに移動することができない。すなわち部品１１４は、転送ボード１４と境を接するように若干上方向に延びるような物理的ストップとなる。したがって転送ボード１４は、転動してクレードル１６の第２の端部２０から外れ出ることはない。
【００２４】
ここで図１１を見ると、例示的な緊急フック・リリース機構１０８の詳細を表している。緊急フック・リリース機構１０８はクレードル緊急リリース・ハンドル６４を含む。ハンドル６４は、ねじ１２４やその他の適当な取り付けデバイスを用いてクレードル１６の第１の端部１８に添着させた静止Ｕ字型部分１１６を含む。ハンドル６４はさらに、Ｏリング１２０によってＯリング支持体１２８の方向に片寄らせた移動可能引っ張り部分１１８を含む。移動可能引っ張り部分１１８は、連係ビーム１２６と一緒に移動するように取り付けた連係ロッド１２２に取り付けられている。連係ロッド１２２は固定のＯリング支持体１２８の内部で摺動自在に移動する。Ｏリング支持体１２８は、クレードル１６の内部の適所に固定されており、１対のＯリング・ホルダー１３０を含んでいる。連係ビーム１２６はさらに１対のＯリング・ホルダー１３０を含んでおり、またＯリング１２０は、そのそれぞれが連係ビーム１２６とＯリング支持体１２８のそれぞれから来ている１対のＯリング・ホルダー１３０同士の間に張られている。移動可能連係ビーム１２６は、図１１内では部分的に図示されておりクレードル１６の長さの大部分にわたって延びている移動可能連係バー１３２の第１の端部１３４に取り付けられている。連係バー１３２は、クレードル１６内部でねじ１３９その他を用いて固定状態にある連係バーガイド１３６の内部を移動可能である。連係バー１３２の第２の端部１３８はピボット連係機構１４０に取り付られている。ピボット連係機構１４０は、連係バー１３２の第２の端部１３８に取り付られた第１の端部１４２と、クレードル１６の底側表面７０にあるスロット１４８の内部で摺動可能にした摺動可能カム式フック押し具１４６に取り付られた第２の端部１４４と、を含む。
【００２５】
クレードル１６、転送ボード１４及び患者１２をイメージング・システム５００から迅速に引き出すことが必要であるような操作時には、ハンドル６４をつかみ引っ張り部分１１８を静止部分１１６に向かって押し込み、これにより連係ロッド１２２（したがって、連係ビーム１２６及び連係バー１３２）を第１の端部１８の方向に移動させる。旋回式連係機構１４０は、摺動可能カム式フック押し具１４６をクレードル１６の第２の端部２０の方向に移動させるように第２の端部１４４内部のスロット溝が第２の端部１４４と摺動可能カム式フック押し具１４６の間で接続できるようにピボット動作する。摺動可能カム式フック押し具１４６はフック受け容れ窪み９８内に入るように移動し、イメージング・システム５００のフックが押されてクレードル１６からフックが開放される。フックが開放されると、ハンドル６４をイメージング・システム５００から離れる方向に引っ張り続け、これによりクレードル１６をイメージング・システム５００から取り外すことができる。ハンドル６４を開放すると、Ｏリング１２０が連係ビーム１２６を第２の端部２０の方向に引っ張り、またこれにより連係ロッド１２２及び引っ張り部分１１８が静止部分１１６から離れるように戻される。連係バー１３２及び連係機構１４０を介して、フック押し具１４６がスロット１４８内で第２の端部２０から離れるように引き戻され、これによりフック押し具１４６は次回にクレードル緊急リリース・ハンドル６４の使用を必要とする際のためにリセット状態となる。
【００２６】
図１１に図示した実施形態を緊急リリース機構１０８としての使用に関して記載してきたが、緊急リリース機構１０８はフックやその他のクレードル掴持用部材をイメージング・システム５００から開放するための代替的要素を含み得ること、並びに緊急リリース機構１０８はクレードル１６をイメージング・システム５００から取り外すことがあることを理解すべきである。
【００２７】
図１２及び１３はそれぞれ第１のロッカー８６の部分図を、図１２ではロッキング部分１４８を含むように、また図１３では第１のロッカー手動リリース・ハンドル９６を含むように表している。第１のロッカー手動リリース・ハンドル９６とロッキング部分１４８はライン１５０によって接続されている。ライン１５０はケーブル、コード、ロッド、などとすることができる。ライン１５０の第１の端部１５２はロッキング部分１４８内のスプリング・タブ１６４に接続されており、またライン１５０の第２の端部１５４は第１のロッカー手動リリース・ハンドル９６の摺動ロッド１５６の第２の端部１５８に接続されている。
【００２８】
転送ボード１４をクレードル１６上まで移動させる場合、転送ボード１４はロッキング部分１４８の上を転動し、第１の端部１８から第２の端部２０の方向（矢印Ｘで明瞭に示す方向）で第１のロッカー８６のローラー１６３が利用される。転送ボード１４の下側表面６０内部にある第１のノッチまたは溝は、スプリング・タブ１６４の角度付き表面１６０の上を摺動してスプリング・タブ１６４を押し、これによりスプリング・タブ１６４はノッチまたは溝が先端１６２の上に来るまでクレードル１６の下側表面７０の方向で下方向に押され、このためにスプリング・タブ１６４が上方向に戻ってノッチまたは溝内に入るように片寄らせることが可能となる。スプリング・タブ１６４はスプリング圧を提供するために図のような全体としてＵ字型の断面を有している。先端１６２は、転送ボード１４が先端１６２の上を滑らかに転動できるようにするためにローラー１６３を含むことができる。先端１６２のもう一方のサイド上に平坦なサイド表面１６６を設けているため、先端１６２が転送ボード１４のノッチまたは溝の内部に来た後は、転送ボード１４は第２の端部２０から第１の端部１８の方向（矢印Ｙで示す方向）に戻るような移動が防止される。
【００２９】
図１３は、ハンドル部分１６８を含んだ第１のロッカー手動リリース・ハンドル９６を表しており、このハンドル部分１６８は図示のような指溝を備えるように人間工学的に設計されることがあり、またさらにはレバーやその他のハンドル設計／形状によって実現させることも可能である。ハンドル部分１６８は、スロット１７２の内部でクレードル１６内に確保された固定のハンドル支持１７４内を移動する接続用ロッド１７０に取り付られている。ハンドル１６８が引かれると、摺動ロッド１５６はＸ方向に引っ張られる。摺動ロッド１５６は摺動ロッドガイド１７６の内部で摺動可能である。Ｘ方向での摺動ロッド１５６の動きによってライン１５０もＸ方向に引っ張られる。ライン１５０の第１の端部１５２は角度付き表面１６０の端部１７８に取り付られている。したがって、ライン１５０をＸ方向に引っ張ることによってスプリング・タブ１６４の端部１７８が下向きに引っ張られ、これにより転送ボード１４はＹ方向で戻されるように移動してクレードル１６から外れることができる。
【００３０】
第１のロッカー８６に関してある具体的な機械的機構を記載してきたが、第１のロッカー８６に関しては、転送ボード１４がクレードル１６から外れるのを防止するためのシステム並びにこのシステムを係合解除するための手動リリースを含むような代替的機構を考案することも可能であることに留意すべきである。
【００３１】
図１４及び１５は、第２のロッカー８８に関する相対する側方斜視図を表している。第２のロッカー８８も、第１のロッカー８６の場合と同様に、転送ボード１４をクレードル１６上で適所に確保する役割をしており、スプリング・タブ１６４と同様のスプリング・タブ１８０を含んでいる。スプリング・タブ１８０の角度付き表面１８２の上で転送ボード１４がＸ方向に動かされると、スプリング・タブ１８０を押し、これにより転送ボード１４の下側表面６０にある第２のノッチまたは溝が先端１８４の上に来るまでスプリング・タブ１８０が下向きに押し出され、これによりスプリング・タブ１８０は上向きに戻って第２のノッチまたは溝内に入るように片寄らせることができる。先端１８４は、転送ボード１４が先端１８４の上を滑らかに転動できるようにするためにローラー１８８を含むことができる。スプリング・タブ１８０はスプリング圧を提供するために図のように全体としてＵ字型の断面を有している。先端１８４のもう一方のサイド上に平坦なサイド表面を設けているため、先端１８４が転送ボード１４のノッチまたは溝の内部に来た後は、転送ボード１４は第２の端部２０から第１の端部１８の方向（矢印Ｙで示す方向）に戻るような移動が防止される。
【００３２】
第２のロッカー８８は第１のロッカー８６と異なり手動リリース・ハンドルを含んでいない。その一方で、テーブル１０を図２５に示したテーブル４００などの第２の補助テーブルにドッキングさせたときは第２のロッカー８８は開放される。第２のテーブル４００は、同じく転送ボード１４を受け容れるように形成されており、押し具ノブ１９０と係合可能な表面または突出部のいずれかを含む。押し具ノブ１９０はクレードル１６の第１の端部１８から突き出ることがあり、また別法としてクレードル１６の第１の端部１８は第２のテーブル４００からの突出部を受け容れるために開放部を含むことがある。いずれの場合も、テーブル１０を第２のテーブル４００または別の適合性のテーブルとドッキングさせると、押し具ノブ１９０がＸ方向に押され、これがさらに第１の移動可能プラットフォーム１９２及び取り付られ押し具ロッド１９４を押す。押し具ロッド１９４は、クレードル１６の内部で固定されているロッドガイド１９６を通過して摺動可能である。押し具ロッド１９４のそれぞれの第１の端部１９８は、第１の移動可能プラットフォーム１９２に取り付られている。押し具ロッド１９４のそれぞれの第２の端部２００は第２の移動可能プラットフォーム２０２に取り付られている。押し具ロッド１９４も、スプリング・タブ１８０の第１の端部２１０の反対側でスプリング・タブ１８０の第２の端部２０８から突き出た延長部２０６内に設けられた開放部２０４を通過して摺動可能である。第２の端部２０８は、ねじ、ボルト、リベットその他（ただし、これらに限らない）などの確保デバイス２１４を介してスプリング・タブ支持２１２によりクレードル１６の内部で固定式に保持されている。
【００３３】
ケーブル、コード、ロッドその他（ただし、これらに限らない）などのライン２１６は、第１の端部２１８の位置では第２の移動可能プラットフォーム２０２に対して、また第２の端部２２０の位置ではスプリング・タブ１８０の端部２１０に対して取り付られている。押し具ノブ１９０がテーブル１０と境を接した補助テーブルによってＸ方向に押されると、第１の移動可能プラットフォーム１９２は押し具ロッド１９４を、また従って第２の移動可能プラットフォーム２０２をＸ方向に移動させる。Ｘ方向への第２の移動可能プラットフォーム２０２の動きによって、ライン２１６がＸ方向に引かれ、これにより端部２１０がクレードル１６の底側表面７０に向かって下向きに引っ張られ、これにより先端１８４が第２のノッチまたは溝から出されると共に、転送ボード１４をＹ方向に戻るように動かしてクレードル１６から外すことができる。
【００３４】
第２のロッカー８８に関してある具体的な機械的機構を記載してきたが、第２のロッカー８８に関しては、テーブル１０が補助テーブルと係合するまで転送ボード１４が移動してクレードル１６から外れるのを防止するためのシステムを含むような代替的機構を考案することも可能であることに留意すべきである。
【００３５】
第１及び第２のロッカー８６、８８はさらに、転送ボード１４が移動してクレードル１６から外れて離れるのを防ぐように動作する際の垂直インタロックと見なすことができ、これらのロッカーはロッキング部分（例えば、スプリング・タブ１６４、１８０の先端１６２、１８４のそれぞれ）を垂直に移動させる、すなわちクレードル１６の上側表面６８及び底側表面７０に向かう方向あるいはこれらから離れる方向に移動させることによって稼働状態となる。
【００３６】
図１６及び１７は、第１のストッパ１１０の部分拡大図を表している。第１のストッパ１１０が開放されると、転送ボード１４が完全にクレードル１６上にありこれにより第２のストッパ１１２が稼働状態にある場合にのみイメージング・システム５００内に向かう、またイメージング・システム５００から出るようなクレードル１６の移動が許容される。第１のストッパ１１０は、イメージング・システム５００がＭＲＩシステムであるような場合にはイメージング・システム５００の前面にある低背型キャリッジ・アセンブリ（「ＬＰＣＡ」）によって稼働状態とさせることがある。クレードル１６は第１のストッパ１１０の内部に、テーブル１０をイメージング・システム５００に接続したときに押される機械式インタロック／ロッドを含んでいる。これがテーブル１０と「連絡をとる（ｃｏｍｍｕｎｉｃａｔｅ）」ための手段の役割を効果的に果たしており、これによりテーブル１０はイメージング・システム５００に接続されていることを「認識（ｋｎｏｗ）する」ことができる。
【００３７】
図１６から分かるように、第１のストッパ１１０はクレードル１６のサイド７４に隣接して配置されている。第１のストッパ１１０は、固定ブロック支持２２２内部の開口２２４内に挿入されるねじやその他の確保デバイスを介してクレードル１６に対して固定させた固定ブロック支持２２２を基準として移動可能な摺動可能ブロック２２０を含んでいる。摺動可能ブロック２２０は、Ｏリング２２６によって、例えば図１６に示すように外に突き出た位置に片寄らせることができる。この外に突き出た位置において、ブロック２２０は、テーブル１０のクレードル受領部分／クレードル受容部材２８２（図２１）にある第１の溝の内部に配置される。
【００３８】
テーブル１０をイメージング・システム５００に対して適所になるように移動させると、図１７に示すようなブロック移動用ロッド２２８が図のＹ方向に移動する。ブロック移動用ロッド２２８はクレードル１６の第２の端部２０から外方に突き出た第１の端部２３０を含んでいる。ロッド２２８が第２の端部２０からあまり突き出すぎるのを防止するために第１の端部２３０に隣接してより大直径の部分２３２を設けている。ブロック移動用ロッド２２８はブロック移動用ロッドガイド２４２の内部で摺動可能である。ブロック移動用ロッド２２８の第２の端部２３４は、ブロック移動用ロッド２２８の第２の端部２３４をライン引っ張り連係機構２３８に接続するためにコネクタ２３６に取り付られており、このライン引っ張り連係機構２３８は確保デバイス２４０によってコネクタ２３６に接続されている。ライン引っ張り連係機構２３８は、図１７にその一部を示すように、端部２４４においてライン２４６の第１の端部２４８に接続されている。図１６に示すように、ライン２４６の第２の端部２５０は摺動可能ブロック２２０に接続されている。
【００３９】
したがって、ブロック移動用ロッド２２８をＹ方向に動かすと、ライン引っ張り連係機構２３８に隣接して設けられたライン支持２５２とブロック支持２２２に隣接して設けられたライン支持２５４との間のライン２４６がＸ方向に引っ張られる。ライン２４６が引っ張られると、ライン２４６の第２の端部２５０が、クレードル１６の第１のサイド７４から第２のサイド７６への方向でブロック支持２２２内に入るように摺動可能ブロック２２０を引っ張り、これにより移動障害物としてのブロック２２０がテーブル１０のクレードル受領部分から除去される。テーブル１０がイメージング・システム５００と係合していない場合は、Ｏリング２２６は片寄った状態に戻るように動き、ブロック２２０を図１６に示すように移動させて外方に戻すと共に、ライン２４６をＹ方向に引っ張り、これによりブロック移動用ロッド２２８をＸ方向に押すと共に、第２の端部２２０の外に戻るようにブロック移動用ロッド２２８の第１の端部２３０を押す。
【００４０】
第１のストッパ１１０に関してある具体的な機械的機構を記載してきたが、第１のストッパ１１０に関しては、テーブル１０がイメージング・システム５００やその他の補助システムと係合するまでクレードル１６が移動してテーブル１０のクレードル支持部分２８２から外れるのを防止するためのシステムを含むような代替的機構を考案することも可能であることに留意すべきである。
【００４１】
図１８〜１９は、第２のストッパ１１２の部分拡大図を表している。図１８から分かるように、第２のストッパ１１２は、クレードル１６のサイド７６に隣接して配置されている。第２のストッパ１１２は、ねじや別の確保デバイス２６２を介してクレードル１６に対して固定された固定ブロック支持２６０を基準として移動可能な摺動可能ブロック２５８を含む。摺動可能ブロック２５８は、図１８に示すように外に突き出た位置に片寄らせることができる。この外方に突き出た位置において、ブロック２５８はテーブル１０のクレードル受領部分にある第２の溝によって配置される（これについては以下でさらに記載することにする）。
【００４２】
カバー６６にある開口９０を通して現れているフリッパ９２の上の適所に来るように転送ボード１４を移動させると、転送ボード１４の下側表面６０が第１の端部２６４をクレードル１６の下側表面７０の方向に向かって下向きに押す。フリッパ９２の第２の端部２６６はライン２６８に取り付られている。フリッパ９２がフリッパ支持２７０の上でレバー動作すると、第２の端部２６６は、クレードル１６の上側表面６８の方向に向かって上向きに移動する。第２の端部２６６が上向きに移動すると、ライン２６８はＸ方向に引っ張られ、これにより連係機構２７２及びライン２７４がＸ方向に引っ張られる。ライン２７４がライン支持２７８の周りで引っ張られると、ライン２７４のブロック引張り端部２７６がブロック支持２６０の内部で摺動可能ブロック２５８を引っ張る。したがって、ブロック２５８はテーブル１０のクレードル受領部分２８２から移動障害物として除去される。転送ボード１４がクレードル１６上の適所に来ていない場合、端部２６４が開口９０から突き出ており、かつブロック２５８がテーブル１０のクレードル受領部分２８２の第２の溝と係合するようにブロック支持２６０から外方に突き出るような状態になるまでフリッパ９２は片寄っている。
【００４３】
第２のストッパ１１２に関してある具体的な機械的機構を記載してきたが、第２のストッパ１１２に関しては、転送ボード１４がクレードル１６上で完全に適所に来るまでクレードル１６が移動してテーブル１０のクレードル支持部分２８２から外れるのを防止するためのシステムを含むような代替的機構を考案することも可能であることに留意すべきである。
【００４４】
第１及び第２のストッパ１１０、１１２はさらに、クレードル１６が移動してテーブル１０から離れるまで外れるのを防ぐように動作する際の水平インタロックと見なすことができ、これらのストッパは摺動可能ブロック２２０、２５８を水平に移動させる、すなわちクレードル１６の第１のサイド７４及び第２のサイド７６に向かう方向あるいはこれらから離れる方向で、かつクレードル１６の上側及び底側表面６８、７０と全体として平行に移動させることによって稼働状態となる。
【００４５】
図２０〜２１は、補助的な第２のテーブル４００とドッキングするためのメイン支持２８０、クレードル受領部分２８２及びドッキング・アセンブリ２８４を含んだテーブル１０の残りの部分を表している。ドッキング・アセンブリ２８４は、テーブル１０の第１の端部１８上に位置決めされている。テーブル１０はさらに、補助テーブル４００、イメージング・システム５００、あるいは別のテーブルやイメージング・システムに対してテーブル１０を適所に来るように移動させるための旋回式ホイール２８６を含んでいる。
【００４６】
図２１はさらに、テーブル１０のクレードル受領部分２８２の内部にクレードル１６を位置決めして表している。第１及び第２のストッパ１１０、１１２は、その摺動可能ブロック２２０、２５８がクレードル受領部分２８２内部にある溝２８８、２９０のそれぞれと係合した状態で表している。
【００４７】
図２２の内には、テーブル１０の第１の端部１８上に位置決めされたドッキング・アセンブリ２８４を単独で表している。ドッキング・アセンブリ２８４は、患者テーブル１０をＴｒａｎｓｍｏｂｉｌｅテーブル４００などの手動テーブル４００とドッキングさせるために使用されており、テーブル１０のサイドに配置させた１対の離間したテーブル係合体部２９２を含んでいる。ドッキング・アセンブリ２８４は、係合させるテーブル４００からの水平突出ピン４０２を受け容れるように設計されている。各テーブル係合体部２９２は１つのテーパ付きピン受け容れチャンネル２９４を含む。テーブル４００のテーブル１０と係合した各側からのピン４０２は、チャンネル２９４の最大幅部分の内部に容易に受け容れられると共に、各ピン４０２が移動可能ピン・ロッキング・デバイス２９６の中心に着座するまでチャンネル２９４のテーパ壁によるガイドを受ける。ピン４０２がピン・ロッキング・デバイス２９６と共に着座した後で、ピン・ロッキング・ノブ２９８を回し、Ｃ字形ロッキング・デバイス２９６の開放部がチャンネル２９４と対面しなくなるようにＣ字形ロッキング・デバイス２９６を回転させることができる。したがって、ピン４０２、またしたがってテーブル４００は、ピン・ロッキング・ノブ２９８が回転してＣ字形ロッキング・デバイス２９６の開放部がチャンネル２９４と同一線上に来るように回転して戻るまでドッキング・アセンブリ２８４から外すことができない。
【００４８】
このシステムによって、外科処置中において１．５Ｔ及び／または３．０ＴのＭＲＩスキャンが可能となる。外科処置中のいずれの時点においてもＶＩＷＡＳテーブル・システムなどのテーブル４００から滑らかな患者転送が可能である。外科用セットをフルに装備して撮像セットと独立の状態にしておくことが可能であると共に、一方撮像セットは通常の患者に対する臨床スキャンを実施するために独立の状態にしておくことができる。図示した実施形態は脳神経外科向けの設計として図示しているが、別の外科処置も可能である。患者テーブル１０は多元的な接続機能を有すると共に、いずれもＭａｑｕｅｔによるＡｌｐｈａ  Ｍａｑｕｅｔ  １１５０外科用テーブルやＭａｑｕｅｔ  Ｔｒａｎｓｍｏｂｉｌｅ（ただし、これらに限らない）などの別の装置とインタフェースさせることができる。
【００４９】
この構成で専用ＲＦコイル３４を使用すると、最大のＳＮＲと改良された画質が可能である（保証するのに役立つ）一方、さらに臨床応用において複数の患者位置決め及び手技に対応するような最大の柔軟性を提供することができる。図２３及び２４にはＲＦコイル３４を表している。ＲＦコイル３４は、リベット３０４や適当な別の締結具によって裏当て３０２に取り付られた可撓性プリント回路基板（「ＰＣＢ」）３００を含んでいる。裏当て３０２はＲＦトラップ３０８を支持する入力ＰＣＢ３０６に取り付けられている。入力ＰＣＢ３０６は保護フレーム３１０によって保護されている。保護フレーム３１０は、コイル・ケーブル３１６の第１の端部３１４がその内部を通って延びているウィンドウ３１２を含んでいる。コイル・ケーブル３１６はコイル・ケーブル４２または４４、あるいは異なる解剖部位向けに設計されたコイルに対する別のコイル・ケーブルのいずれとすることも可能である。コイル・ケーブル３１６の第２の端部３２０は、中間ボックス４６に対する接続を容易にするためにコイル・コネクタ３１８を含んでいる。
【００５０】
ＭＲ適合性を得るために、この外科用テーブルはラジオ透明性の（ｒａｄｉｏｌｕｃｅｎｔ）材料から製作することがある。一実施形態では、そのテーブルはＭＲ及びＸ線的に透過性の繊維複合材を実装すると共に、適合性の外科用テーブル及び患者トランスポータと連係して使用することができる。
【００５１】
その全体を図２５で示すように、ドッキング・アセンブリ２８４を備えたＭＲＩ適合性外科用患者テーブル１０／クレードル１６は、イメージング・システム５００による適正なＭＲスキャナ機能を可能にさせるために、転送ボード１４を受け容れるための外科用クレードル１６を含むと共に、固有の内部安全インタロック及び撮像透明性が得られる物理的材料を包含している。外科用テーブル１０の第１の端部１８と一体化させたドッキング・アセンブリ２８４によって、ＭａｑｕｅｔトランスモバイルやＶＩＷＡＳなどの補助テーブル４００との適正なドッキングが可能となる。クレードル１６は、補助装置とドッキングされたときにだけ転送ボード１４及び患者１２を開放する特殊なインタロックを有する。補助テーブル４００は同様のインタロックピン・リリースを包含している（すなわち、これには患者転送前にロックする機構が必要である）。
【００５２】
図２５は、テーブル４００をテーブル１０と分離させかつテーブル１０をイメージング・システム５００と分離させて表しているが、テーブル４００とテーブル１０は互いに対してまたイメージング・システム５００に対して移動可能とさせることができる移動可能体であることを理解すべきである。例えば、テーブル４００は、転送ボード１４をテーブル４００からテーブル１０まで移動するために、テーブル１０の方向に移動可能でありかつテーブル１０と脱着可能にドッキング可能である。同様にテーブル１０は、クレードル１６をテーブル１０からイメージング・システム５００の内部まで移動するために、イメージング・システム５００の方向に移動可能でありかつイメージング・システム５００に脱着可能に接続可能である。床３９０は、第２のテーブル４００のホイールをガイドし、これにより患者テーブル１０と係合状態になるように第２のテーブル４００を迅速にガイドするためのトラックを含むことがある。
【００５３】
上述のように、テーブル４００をテーブル１０とドッキングさせると、テーブル４００からのピン４０２がドッキング・アセンブリ２８４のチャンネル及びピン・ロッキング・デバイス２９４、２９６の内部に挿入される。さらに、テーブル４００がテーブル１０と完全にドッキングすると、第２のロッカー８８の押し具ノブ１９０がテーブル４００の端部によって（あるいは、そこから延びる突出部によって）係合されてロッカー８８が係合解除され、これにより転送ボード１４をテーブル１０からテーブル４００まで戻すように移動させることができる。テーブル１０をイメージング・システム５００と係合させると、第１のストッパ１１０のブロック移動用ロッド２２８の第１の端部２３０が内方に押されてクレードル１６内に入り、これによりクレードル１６とクレードル支持部材２８２の間からブロックを摺動自在に移動させることが可能となる。同時に、転送ボード１４を完全にクレードル１６の上に位置させると第２のストッパ１１２が内方に押されてクレードル１６内に入り、これによりクレードル１６のイメージング・システム５００内への移動が可能となる。イメージング・システム５００を基準としてテーブル１０が位置決めされると、図１に示すように、ＲＦコイル３４からのシステム・ケーブル５０をイメージング・システム５００のインタフェース５０２に接続することができる。インタフェース５０２はイメージング・システム５００に対して任意の位置に位置決めされることがあり、図示した箇所に限定されないことを理解すべきである。
【００５４】
クレードル１６は、ＭＲＩスキャナやその他のイメージング・システムの機能の完全な利用を可能にすると共に患者を滑らかかつ安全に転送する固有のアダプタである。クレードル・フレームは特殊な平坦結合構造で設計されており、最大の患者体重の４倍に耐えるように試験されている。さらにローラーブレード部分７２はクレードル１６と一体構造でインタロックされており、分単位での取外しが可能である。ドッキング・アセンブリ２８４は、補助患者トランスポータ４００を用いた転送ボード１４の安全な転送を可能にしている。安全で滑らかな患者転送を可能にさせるためにクレードル１６内には安全インタロックが含まれている。
【００５５】
専用のＲＦコイル３４によって解剖構造の近くにデバイスを位置決めすることができ、また頭蓋クランプ３２と撮像しようとする解剖構造の間に専用のＲＦコイル３４を配置させることができる。こうした配置／箇所でコイル３４を利用できることによって、診断用イメージングに関する最大のＳＮＲが可能となる。このコイル・インタフェース構成によって、中間の接続箇所（例えば、中間ボックス４６）にコイル３４を接続する機能が可能となり、その用途及び手技における最大の柔軟性を提供することができる。接続実装は患者の左側でも右側でも転送ボード１４に取り付ることができ、かつコイル３４によって後側コイル３６や前側コイル３８の使用、あるいはこれら両者を連係した使用が可能となる。この機能によって当該手技に対応するようにユーザ／用途柔軟性を高めることができ、かつ手技／作業フローでの利用並びに外科処置中においてＭＲに対して出入させる患者の移動やＭＲシステムへの接続が容易になる。
【００５６】
さらに、本発明に関して例示的な実施形態を参照しながら記載してきたが、本発明の趣旨を逸脱することなく様々な変更が可能であると共に、その要素の等価物による置換が可能であることは当業者であれば理解するであろう。多くの修正形態により、本発明の本質的趣旨を逸脱することなく具体的な状況や材料を本発明の教示に適応させることができる。したがって、本発明を実施するように企図したベストモードとして開示した特定の実施形態に本発明を限定しようという意図ではなく、本発明は添付の特許請求の範囲の域内に入るすべての実施形態を包含するように意図している。さらに、「第１の」、「第２の」などの用語の使用は、何らかの順序や重要度を意味しておらず、「第１の」、「第２の」などの用語はむしろ、ある要素を別の要素と区別するために使用したものである。さらに、「ａ」、「ａｎ」などの用語の使用は、数量の限定を意味したものではなく、むしろ言及された要素が少なくとも１つ存在することを意味している。
【図面の簡単な説明】
【００５７】
【図１】患者搬送ボード、クレードル、ＲＦコイルシステム及び患者を搬送する患者テーブルの例示的な一実施形態の一部分の側方斜視図である。
【図２】図１の患者テーブル部分を患者を存在させずに表した側方斜視図である。
【図３】図１の患者テーブルと一緒に使用するための患者搬送ボードの例示的な一実施形態の側方斜視図である。
【図４】図３の患者搬送ボードの端部断面図である。
【図５】図１の患者テーブルと一緒に使用するためのクレードルの例示的な一実施形態の側方斜視図である。
【図６】図５のクレードルの上側平面図である。
【図７】図５のクレードルの側部平面図である。
【図８】図５のクレードルの第１の端部の端部平面図である。
【図９】図５のクレードルをクレードル・カバーを取り外して表した上側平面図である。
【図１０】クレードル・カバーを取り外した状態の図９のクレードルの側方斜視図である。
【図１１】図１の患者テーブルと一緒に使用するための例示的なフック・リリース機構の側方斜視図である。
【図１２】図１の患者テーブルと一緒に使用するためのロッカー手動リリース機構の例示的な一実施形態の一部分の側方斜視図である。
【図１３】図１２のロッカー手動リリース機構の別の部分の側方斜視図である。
【図１４】図１の患者テーブルと一緒に使用するための第２のロッカーの例示的な一実施形態の第１の側方斜視図である。
【図１５】図１４の第２のロッカーの第２の側方斜視図である。
【図１６】図１のテーブルに関する第１のストッパの例示的な一実施形態の一部分の側方斜視図である。
【図１７】図１６の第１のストッパの別の部分の側方斜視図である。
【図１８】図１のテーブルに関する第２のストッパの例示的な一実施形態の一部分の側方斜視図である。
【図１９】図１８の第２のストッパの別の部分の側方斜視図である。
【図２０】図１の患者テーブルの側方斜視図である。
【図２１】図２０の患者テーブルの端部図である。
【図２２】図２０のテーブルの第１の端部に取り付られたドッキング・アセンブリの例示的な一実施形態の側方斜視図である。
【図２３】図１の患者テーブルと一緒に使用するためのＲＦコイルの例示的な一実施形態の分解斜視図である。
【図２４】図２３のＲＦコイルを組み上げて表した側方斜視図である。
【図２５】図１のテーブルを使用した患者転送及び撮像のための全体システムの例示的な一実施形態を表した概要図である。
【符号の説明】
【００５８】
１０  テーブル・システム
１２  患者
１４  転送ボード
１６  クレードル
１８  クレードルの第１の端部
２０  クレードルの第２の端部
２２  モニタ・プレート
２４  装着プレート
２６  アーム
２８  モニタ保持部分
３０  ハンドル
３２  頭蓋クランプ
３４  ＲＦコイル
３６  上側可撓性コイル
３８  前側可撓性コイル
４０  転送ボードのサイド部分
４２  上側可撓性コイル・ケーブル
４４  前側可撓性コイル・ケーブル
４６  中間ボックス
４８  中間ボックス延長アーム
５０  システム・ケーブル
５２  ナビゲーション・アーム
５４  患者接地ストリップ
５６  取り付けエリア
５８  上側表面
６０  底側表面
６２  ローラー受け容れ部分
６４  クレードル緊急リリース・ハンドル
６５  第１のカバー分割片
６６  カバー
６７  第２のカバー分割片
６８  上側表面
６９  第３のカバー分割片
７０  底側表面
７２  ローラー
７４  第１のサイド
７６  第２のサイド
７８  サイド上の点
８０  キャスター
８２  第１の開口
８４  第２の開口
８６  第１のロッカー
８８  第２のロッカー
９０  第３の開口
９２  フリッパ
９４  第４の開口
９６  第１のロッカー手動リリース・ハンドル
９８  フック受け容れ窪み
１００  ローラー・ハウジング
１０２  支持ビーム
１０４  開口
１０６  溝
１０８  緊急リリース機構
１１０  第１のストッパ
１１２  第２のストッパ
１１４  ポジティブ・ストップ部品
１１６  静止Ｕ字型部分
１１８  移動可能引っ張り部分
１２０  Ｏリング
１２２  連係ロッド
１２４  ねじ
１２６  連係ビーム
１２８  Ｏリング支持体
１３０  Ｏリング・ホルダー
１３２  連係バー
１３４  連係バーの第１の端部
１３６  連係バーガイド
１３８  連係バーの第２の端部
１３９  ねじ
１４０  ピボット連係機構
１４２  ピボット連係機構の第１の端部
１４４  ピボット連係機構の第２の端部
１４６  摺動可能カム式フック押し具
１４８  スロット
１５０  ライン
１５２  ラインの第１の端部
１５４  ラインの第２の端部
１５６  摺動ロッド
１５８  摺動ロッドの第２の端部
１６０  角度付き表面
１６２  先端
１６３  ローラー
１６４  スプリング・タブ
１６６  平坦サイド表面
１６８  ハンドル部分
１７０  接続用ロッド
１７２  スロット
１７４  ハンドル支持
１７６  摺動ロッドガイド
１７８  角度付き表面の端部
１８０  スプリング・タブ
１８２  角度付き表面
１８４  先端
１８８  ローラー
１９０  押し具ノブ
１９２  第１の移動可能プラットフォーム
１９４  押し具ロッド
１９６  ロッドガイド
１９８  押し具ロッドの第１の端部
２００  押し具ロッドの第２の端部
２０２  第２の移動可能プラットフォーム
２０４  開放部
２０６  延長部
２０８  スプリング・タブの第２の端部
２１０  スプリング・タブの第１の端部
２１２  スプリング・タブ支持
２１４  確保デバイス
２１６  ライン
２１８  第１の端部
２２０  摺動可能ブロック
２２０  第２の端部
２２２  固定ブロック支持
２２４  開口
２２６  Ｏリング
２２８  ブロック移動用ロッド
２３０  ブロック移動用ロッドの第１の端部
２３２  大直径部分
２３４  ブロック移動用ロッドの第２の端部
２３６  コネクタ
２３８  ライン引っ張り連係機構
２４０  確保デバイス
２４２  ブロック移動用ロッドガイド
２４４  端部
２４６  ライン
２４８  ラインの第１の端部
２５０  ラインの第２の端部
２５２  ライン支持
２５４  ライン支持
２５８  摺動可能ブロック
２６０  固定ブロック支持
２６２  確保デバイス
２６４  フリッパの第１の端部
２６６  フリッパの第２の端部
２６８  ライン
２７０  フリッパ支持
２７２  連係機構
２７４  ライン
２７６  ブロック引張り端部
２７８  ライン支持
２８０  メイン支持
２８２  クレードル受領部分
２８４  ドッキング・アセンブリ
２８６  旋回式ホイール
２８８  溝
２９０  溝
２９２  テーブル係合体部
２９４  ピン受け容れチャンネル
２９６  ピン・ロッキング・デバイス
２９８  ピン・ロッキング・ノブ
３００  可撓性プリント回路基板（ＰＣＢ）
３０２  裏当て
３０４  リベット
３０６  入力ＰＣＢ
３０８  ＲＦトラップ
３１０  保護フレーム
３１２  ウィンドウ
３１４  コイル・ケーブルの第１の端部
３１６  コイル・ケーブル
３１８  コイル・コネクタ
３２０  コイル・ケーブルの第２の端部
３９０  床
４００  第２のテーブル
４０２  ピン
５００  ＭＲＩシステム
５０２  コイル・インタフェース
【図１】
2006314793.tif 000003
【図２】
2006314793.tif 000004
【図３】
2006314793.tif 000005
【図４】
2006314793.tif 000006
【図５】
2006314793.tif 000007
【図６】
2006314793.tif 000008
【図７】
2006314793.tif 000009
【図８】
2006314793.tif 000010
【図９】
2006314793.tif 000011
【図１０】
2006314793.tif 000012
【図１１】
2006314793.tif 000013
【図１２】
2006314793.tif 000014
【図１３】
2006314793.tif 000015
【図１４】
2006314793.tif 000016
【図１５】
2006314793.tif 000017
【図１６】
2006314793.tif 000018
【図１７】
2006314793.tif 000019
【図１８】
2006314793.tif 000020
【図１９】
2006314793.tif 000021
【図２０】
2006314793.tif 000022
【図２１】
2006314793.tif 000023
【図２２】
2006314793.tif 000024
【図２３】
2006314793.tif 000025
【図２４】
2006314793.tif 000026
【図２５】
2006314793.tif 000027
【外国語明細書】
2006314793000001.pdf